(57)【要約】【課題】非吸収性の記録媒体に高速で印刷した場合であっても、ブリーディングを防止し、高画質化を維持することのできるインクジェット記録装置を提供する。【解決手段】このインクジェット記録装置には、記録媒体を搬送させる搬送装置と、搬送装置により搬送される記録媒体に、それぞれが同一種の光硬化性インクを吐出する、記録媒体の搬送方向に沿って配列された複数の記録ヘッドと、複数の記録ヘッドのそれぞれにより、光硬化性インクが吐出された記録媒体に向けて、それぞれが光を照射する、記録媒体の搬送方向に沿って配列された複数の光照射部とが備えられている。【選択図】図１
2007098784.tif 000002
【特許請求の範囲】
【請求項１】
記録媒体を搬送させる搬送装置と、
前記搬送装置により搬送される前記記録媒体に、それぞれが同一種の光硬化性インクを吐出する、前記記録媒体の搬送方向に沿って配列された複数の記録ヘッドと、
前記複数の記録ヘッドのそれぞれにより、光硬化性インクが吐出された前記記録媒体に向けて、それぞれが光を照射する、前記記録媒体の搬送方向に沿って配列された複数の光照射部とを有することを特徴とするインクジェット記録装置。
【請求項２】
前記複数の記録ヘッドに含まれ、前記搬送装置により搬送される前記記録媒体に光硬化性インクを吐出する第１の記録ヘッドと、
前記複数の光照射部に含まれ、前記第１の記録ヘッドにより光硬化性インクが吐出された前記記録媒体に向けて光を照射する第１の光照射部と、
前記複数の記録ヘッドに含まれ、前記第１の光照射部により光を照射された前記記録媒体に、前記第１の記録ヘッドにより吐出された光硬化性インクと同一種の光硬化性インクを吐出する第２の記録ヘッドと、
前記複数の光照射部に含まれ、前記第２の記録ヘッドにより光硬化性インクが吐出された前記記録媒体に向けて光を照射する第２の光照射部とを有することを特徴とする請求項１記載のインクジェット記録装置。
【請求項３】
前記第１の記録ヘッド及び前記第２の記録ヘッドはそれぞれ、前記光硬化性インクを吐出する複数のノズルを有しており、
前記第２の記録ヘッドのノズルから吐出される光硬化性インクは、前記第１の記録ヘッドのノズルから吐出された光硬化性インクが着弾した位置に対して、前記記録媒体の搬送方向及びノズルが配列された方向のうち少なくとも一方から所定量ずれた前記記録媒体上に着弾することを特徴とする請求項２記載のインクジェット記録装置。
【請求項４】
前記記録ヘッドはそれぞれ、多相駆動の記録ヘッドであり、前記記録ヘッドにはそれぞれ、前記記録媒体の搬送方向に駆動相数の整数倍となるノズル列が配列されていることを特徴とする請求項３記載のインクジェット記録装置。
【請求項５】
前記記録ヘッドの駆動相数は３であり、前記記録ヘッドが前記記録媒体の搬送方向に３列設けられていることを特徴とする請求項４記載のインクジェット記録装置。
【請求項６】
前記記録ヘッドの複数のノズルは直線状に配列されていることを特徴とする請求項３〜５のいずれか１項に記載のインクジェット記録装置。
【請求項７】
記録媒体を搬送させる搬送装置と、
前記搬送装置により搬送される前記記録媒体に、第１のインク種の属する光硬化性インクを吐出する第１群の複数の記録ヘッドと、
前記搬送装置により搬送される前記記録媒体に、第２のインク種の属する光硬化性インクを吐出する第２郡の複数の記録ヘッドと、
前記第１群の複数の記録ヘッドそれぞれにより光硬化性インクが吐出された前記記録媒体に向けて、それぞれが光を照射する第１群の複数の光照射部と、
前記第２群の複数の記録ヘッドそれぞれにより光硬化性インクが吐出された前記記録媒体に向けて、それぞれが光を照射する第２群の複数の光照射部と、を有することを特徴とするインクジェット記録装置。
【発明の詳細な説明】
【技術分野】
【０００１】
本発明は、インクジェット記録装置に関する。
【背景技術】
【０００２】
従来、用紙やプラスチック薄板等の記録媒体にインクを吐出して所定の画像を記録するインクジェット記録装置が提案され、実用化されている。特に、近年においては、非吸収性の記録媒体であっても画像が記録できるように、光硬化性インクを使用し、記録媒体上に着弾した光硬化性インクに光を照射することで、画像を形成するインクジェット記録装置が開発されている。このようなインクジェット記録装置には、例えばカチオン重合系の光硬化性インクを用いて多量の光を一括して照射するインクジェット記録装置が開発されている（例えば特許文献１、２参照）。
【０００３】
このようなインクジェット記録装置には、例えばＹ（イエロー）、Ｍ（マゼンタ）、Ｃ（シアン）、Ｋ（ブラック）の各色のインクを吐出する記録ヘッドがそれぞれ１つだけ設けられていて、その各色の記録ヘッドに対して記録媒体の搬送方向の下流側に光照射装置が配置されるようになっている。つまり、各インクが記録媒体に着弾すると、各インク毎に光照射装置から光が照射されるので、個別に硬化して画像が記録されることになる。
そして、近年においては、高精彩の画像を高速で印字しても記録ヘッドの駆動に負荷のかからないようにするため、間引き画像を重量して画像記録を行うインターリーブ方式を適用したインクジェット記録装置が開発されている（例えば、特許文献３参照）。
【特許文献１】特開２００４−２０３０２５号公報
【特許文献２】特開２００４−２５５８１８号公報
【特許文献３】特開２００４−１６７８１２号公報
【発明の開示】
【発明が解決しようとする課題】
【０００４】
ところで、特許文献３記載のインクジェット記録装置には、各色毎に複数の記録ヘッドが搭載されることになるが、上記したように各インクが着弾した後に各インク毎に光照射装置から光を照射して個別に硬化させる構成であると、記録媒体上に分割して着弾し、隣り合う同一色のインク滴が硬化前に引き合ってしまう。このようなブリーディングが生じてしまうと、意図した画質が得られない可能性があった。
また、福祉や芸術の用途では、印字箇所が盛り上がっている画像に対する要求があるが、このような画像を作成する方法として、同色のインクによる画像形成を繰り返し行う「重ね打ち」手法がある。しかしながら、インクジェット記録装置で同色のインクによる重ね打ちを行った場合、着弾したインクが広がって所期の画像が得られないものであった。
【０００５】
本発明の課題は、非吸収性の記録媒体に高速で印刷した場合であっても、ブリーディングを防止し、高画質化を維持することのできるインクジェット記録装置を提供することである。
【課題を解決するための手段】
【０００６】
請求項１記載の発明におけるインクジェット記録装置は、
記録媒体を搬送させる搬送装置と、
前記搬送装置により搬送される前記記録媒体に、それぞれが同一種の光硬化性インクを吐出する、前記記録媒体の搬送方向に沿って配列された複数の記録ヘッドと、
前記複数の記録ヘッドのそれぞれにより、光硬化性インクが吐出された前記記録媒体に向けて、それぞれが光を照射する、前記記録媒体の搬送方向に沿って配列された複数の光照射部とを有することを特徴としている。
【０００７】
請求項２記載の発明は、請求項１記載のインクジェット記録装置において、
前記複数の記録ヘッドに含まれ、前記搬送装置により搬送される前記記録媒体に光硬化性インクを吐出する第１の記録ヘッドと、
前記複数の光照射部に含まれ、前記第１の記録ヘッドにより光硬化性インクが吐出された前記記録媒体に向けて光を照射する第１の光照射部と、
前記複数の記録ヘッドに含まれ、前記第１の光照射部により光を照射された前記記録媒体に、前記第１の記録ヘッドにより吐出された光硬化性インクと同一種の光硬化性インクを吐出する第２の記録ヘッドと、
前記複数の光照射部に含まれ、前記第２の記録ヘッドにより光硬化性インクが吐出された前記記録媒体に向けて光を照射する第２の光照射部とを有することを特徴としている。
【０００８】
請求項３記載の発明は、請求項２記載のインクジェット記録装置において、
前記第１の記録ヘッド及び前記第２の記録ヘッドはそれぞれ、前記光硬化性インクを吐出する複数のノズルを有しており、
前記第２の記録ヘッドのノズルから吐出される光硬化性インクは、前記第１の記録ヘッドのノズルから吐出された光硬化性インクが着弾した位置に対して、前記記録媒体の搬送方向及びノズルが配列された方向のうち少なくとも一方から所定量ずれた前記記録媒体上に着弾することを特徴としている。
【０００９】
請求項４記載の発明は、請求項３記載のインクジェット記録装置において、
前記記録ヘッドはそれぞれ、多相駆動の記録ヘッドであり、前記記録ヘッドにはそれぞれ、前記記録媒体の搬送方向に駆動相数の整数倍となるノズル列が配列されていることを特徴としている。
【００１０】
請求項５記載の発明は、請求項４記載のインクジェット記録装置において、
前記記録ヘッドの駆動相数は３であり、前記記録ヘッドが前記記録媒体の搬送方向に３列設けられていることを特徴としている。
【００１１】
請求項６記載の発明は、請求項３〜５のいずれか１項に記載のインクジェット記録装置において、
前記記録ヘッドの複数のノズルは直線状に配列されていることを特徴としている。
【００１２】
請求項７記載の発明におけるインクジェット記録装置は、
記録媒体を搬送させる搬送装置と、
前記搬送装置により搬送される前記記録媒体に、第１のインク種の属する光硬化性インクを吐出する第１群の複数の記録ヘッドと、
前記搬送装置により搬送される前記記録媒体に、第２のインク種の属する光硬化性インクを吐出する第２郡の複数の記録ヘッドと、
前記第１群の複数の記録ヘッドそれぞれにより光硬化性インクが吐出された前記記録媒体に向けて、それぞれが光を照射する第１群の複数の光照射部と、
前記第２群の複数の記録ヘッドそれぞれにより光硬化性インクが吐出された前記記録媒体に向けて、それぞれが光を照射する第２群の複数の光照射部と、を有することを特徴としている。
【発明の効果】
【００１３】
本発明によれば、同一種の光硬化性インクを吐出する複数の記録ヘッドそれぞれにより光硬化性インクが吐出された記録媒体に向けて、該光硬化性インクが記録媒体に着弾する都度、光が照射されるので、記録ヘッドから吐出されて記録媒体に着弾した光硬化性インクが硬化した状態で、他の記録ヘッドから同一種の光硬化性インクが吐出されて、該記録媒体に着弾するようになる。つまり、それらが混ざり合ってブリーディングとなることを防止でき、画質を高めることができる。
【発明を実施するための最良の形態】
【００１４】
以下、本実施形態におけるインクジェット記録装置において図を参照にしながら説明する。図１はインクジェット記録装置の概略構成を表す側面図である。図１に示すように、インクジェット記録装置１には、例えばＰＥＴなどの非吸収性で、枚葉の記録媒体Ｐを格納する給紙トレイ２と、給紙トレイ２内の記録媒体Ｐを搬送する搬送装置３と、搬送装置３により搬送された記録媒体Ｐに対して画像を記録する画像記録部４と、画像が記録されて搬送装置３により排出された記録媒体Ｐを貯留する排出トレイ５とが設けられている。
【００１５】
搬送装置３には、給紙トレイ２上に配置されて最上位の記録媒体Ｐを画像記録部４に搬出する一対の搬出ローラ３１と、記録媒体Ｐの搬送経路上に配置されて記録媒体Ｐを送る複数対の送りローラ３２１，３２２，３２３と、記録媒体Ｐの搬送経路の最下流となる画像記録部４の下流側に配置されて、画像記録後の記録媒体Ｐを排出トレイ５に排出する一対の排出ローラ３３とが設けられている。
【００１６】
画像記録部４には、複数種類の光硬化性インクのそれぞれで記録媒体Ｐ上に画像を記録する複数の画像記録ユニット４０が設けられている。複数の画像記録ユニット４０には、イエロー（Ｙ）の光硬化性インクにより記録媒体Ｐ上に画像を形成するイエローユニット４０Ｙと、マゼンタ（Ｍ）の光硬化性インクにより記録媒体Ｐ上に画像を形成するマゼンタユニット４０Ｍと、シアン（Ｃ）の光硬化性インクにより記録媒体Ｐ上に画像を形成するシアンユニット４０Ｃと、ブラック（Ｋ）の光硬化性インクにより記録媒体Ｐ上に画像を形成するブラックユニット４０Ｋとが設けられており、記録媒体Ｐの搬送方向の上流から順に、イエローユニット４０Ｙ、マゼンタユニット４０Ｍ、シアンユニット４０Ｃ、ブラックユニット４０Ｋと並ぶように配列されている。
【００１７】
また、各画像記録ユニット４０には、搬送装置３により搬送された記録媒体Ｐを下方から支持するプラテン４５Ｙ，４５Ｍ，４５Ｃ，４５Ｋと、プラテン４５Ｙ，４５Ｍ，４５Ｃ，４５Ｋの下方に配置されて当該プラテン４５Ｙ，４５Ｍ，４５Ｃ，４５Ｋ上の記録媒体Ｐを加熱するヒータ４６Ｙ，４６Ｍ，４６Ｃ，４６Ｋとが設けられている。なお、以下の説明においてはイエローユニット４０Ｙを例にして画像記録ユニット４０の説明を行い、マゼンタユニット４５Ｍ、シアンユニット４５Ｃ、ブラックユニット４５Ｋにおける同様の構成要素には末尾の記号のみ対応する符号を付してその説明を省略する。
【００１８】
イエローユニット４０Ｙにおけるプラテン４５Ｙの上方には、ライン式で多相駆動の記録ヘッド６Ｙが、搬送方向に直交する方向（走査方向）に沿って延在して、複数平行に配列されている。具体的に記録ヘッド６Ｙは、３相駆動の記録ヘッドであり、その相数の整数倍備えられていて、ここでは相数の１倍として３つの記録ヘッド６１Ｙ，６２Ｙ，６３Ｙが平行に配列されており、図示しない１つのインクタンクから同一のインク種に属するインクとしてのイエローの光硬化性インクが供給されている。ここで、記録ヘッド６１Ｙを本発明に係る第１の記録ヘッドとすると、その他の記録ヘッド６２Ｙ，６３Ｙが本発明に係る第２の記録ヘッドとなる。そして、３つの記録ヘッド郡６Ｙが本発明に係る第１郡の記録ヘッドであり、その他の３つの記録ヘッド郡６Ｍ，６Ｃ，６Ｋが第２郡の記録ヘッドである。なお、本実施形態では、同一種のインクとして同一のインクタンクから供給されるものとしたが、記録ヘッド毎に異なるインクタンクから同じ色のインクが供給されるようにすることも可能である。そして、各インクタンクから供給されるインクの組成は必ずしも同一である必要はなく、適宜に添加剤、色素、溶媒等を異なったものにしてもよい。
また、図２はイエローユニット４０Ｙの概略構成を表す下面視図であり、この図２に示すように、記録ヘッド６１Ｙ，６２Ｙ，６３Ｙの吐出面には光硬化性インクが吐出される多数のノズル６０１Ｙ，６０２Ｙ，６０３Ｙが、走査方向に沿って一直線上に配列されている。記録ヘッド６１Ｙ，６２Ｙ，６３Ｙに配列されたノズル６０１Ｙ，６０２Ｙ，６０３Ｙはそれぞれ、記録ヘッド６１Ｙ，６２Ｙ，６３Ｙの延伸される方向、すなわち記録媒体Ｐが搬送される方向（矢示Ｘ：搬送方向）に対して直交する方向（矢示Ｙ：走査方向）に一列に配列されている。また、記録ヘッド６１Ｙに配列されたノズル６０１Ｙの位置と、記録ヘッド６２Ｙに配列されたノズル６０２Ｙの位置と、記録ヘッド６３Ｙに配列されたノズル６０３Ｙの位置は、搬送方向で一致するように配置されている。
【００１９】
また、イエローユニット４０Ｙには、記録媒体Ｐ上に着弾した光硬化性インクに対して紫外線を照射して、当該光硬化性インクを硬化させる複数の光照射部７Ｙが各記録ヘッド６Ｙの搬送方向直下流に設けられている。具体的に説明すると、最上流に位置する記録ヘッド６１Ｙの直下流に光照射部７１Ｙが配置されていて、その直下流に位置する記録ヘッド６２Ｙの直下流に光照射部７２Ｙが配置されていて、最下流に位置する記録ヘッド６３Ｙの直下流に光照射部７３Ｙが配置されている。つまり、光照射部７１Ｙを本発明に係る第１の光照射部とすると、その他の光照射部７２Ｙ，７３Ｙが本発明に係る第２の光照射部となる。
【００２０】
図３は、インクジェット記録装置１の主制御構成を表すブロック図であり、この図３にも示すようにインクジェット記録装置１には、各駆動部を制御する制御部８が設けられている。この制御部８には、制御プログラムや画像データを記憶する記憶部９や、各画像記録ユニット４０の記録ヘッド郡６Ｙ，６Ｍ，６Ｃ，６Ｋ、光照射部７Ｙ，７Ｍ，７Ｃ，７Ｋ、ヒータ４６Ｙ，４６Ｍ，４６Ｃ，４６Ｋが電気的に接続されている。制御部８は、記憶部９中の制御プログラム、画像データを読み出して実行することにより各駆動部を制御するようになっている。
【００２１】
次に、図４を参照にして本実施形態におけるインク吐出の制御例を、イエローユニット４０Ｙを基に説明する。図４は、本実施形態に係る記録ヘッド６１Ｙ，６２Ｙ，６３Ｙの各ノズル６０１Ｙ，６０２Ｙ，６０３Ｙと、各ノズル６０１Ｙ，６０２Ｙ，６０３Ｙから吐出されたインクの着弾位置との対応を示した模式図であり、制御部８による制御の一例である。なお、各ノズル６０１Ｙ，６０２Ｙ，６０３Ｙから吐出されるインクの着弾位置は、各ノズル６０１Ｙ，６０２Ｙ，６０３Ｙからインクを吐出するタイミングを制御することによって制御される。また、インクの吐出タイミングは、各記録ヘッド６１Ｙ，６２Ｙ，６３Ｙの設置間隔や記録媒体Ｐの搬送速度等に対応して適宜調整されるものである。
【００２２】
本実施形態における３相駆動の記録ヘッド６１Ｙ，６２Ｙ，６３Ｙでは、各ノズル６０１Ｙ，６０２Ｙ，６０３Ｙが３つ１郡となっているために、便宜上、符号の最後に図の左から順にａ，ｂ，ｃと付している。そして、記録ヘッド６１Ｙ，６２Ｙ，６３Ｙのノズル６０１ａ，６０２ａ，６０３ａが１相目に、ノズル６０１ｂ，６０２ｂ，６０３ｂが２相目に、ノズル６０１ｃ，６０２ｃ，６０３ｃが３相目に、インクを吐出するように制御されている。すなわち、記録ヘッド６１Ｙ，６２Ｙ，６３Ｙにおいて互いに隣接する３つのノズル（例えば、ノズル６０１ａ，６０１ｂ，６０１ｃ）は常に異なるタイミングでインクを吐出する。なお、本実施形態では、３相駆動であるので、インク吐出の制御はこれらの３相の郡Ｇ１についてのみ説明し、他の郡Ｇ２，Ｇ３はそれぞれ郡Ｇ１と同期するものであり、その説明を省略する。
【００２３】
本実施形態においては、各位相毎に搬送方向において画素幅の１倍（１画素）ずらした位置から記録を開始するようにノズル６０１Ｙ，６０２Ｙ，６０３Ｙからのインクの吐出が制御されている。すなわち、本実施形態においては、ノズル６０１ａ，６０２ｂ，６０３ｃから吐出されたインクが搬送方向Ｘでほぼ同一の位置Ｌ１に着弾し、ノズル６０１ｂ，６０２ｃ，６０３ａから吐出されたインクが位置Ｌ２に着弾し、ノズル６０１ｃ，６０２ａ，６０３ｂから吐出されたインクが位置Ｌ３に着弾する。このように、記録ヘッド６１Ｙにおいて、ノズル６０１ａ，６０１ｂ，６０１ｃと走査方向Ｙで順に位相を切り替えて、各位相毎に搬送方向Ｘに隣接する画素から記録していく。
すなわち、記録ヘッド６１Ｙ，６２Ｙ，６３Ｙは、制御部８の制御によりそれぞれ走査方向Ｙに１／３に間引かれた画像を形成し、これらの間引き画像がすべて形成されてはじめて１つのイエロー画像が形成されるものとなっている。これにより、それぞれの記録ヘッド６１Ｙ，６２Ｙ，６３Ｙの可動頻度は、１相駆動の記録ヘッドに比べて１／３となり、高精彩の画像を高速で行っても安定した画像形成が可能となる。なお、重ね打ちを行う場合は、例えばノズル６０１ａ，６０２ａ，６０３ａから吐出されたインクが同一の位置（例えばＢ１）に着弾するように制御すればよい。
【００２４】
次に、本実施形態のインクジェット記録装置１の作用について説明する。
画像記録タイミングになると、制御部８は搬送装置３を制御して搬出ローラ３１及び送りローラ３２１，３２２，３２３を回転駆動させて、給紙トレイ２から記録媒体Ｐを搬出させる。この際、制御部８はプラテン４５Ｙ，４５Ｍ，４５Ｃ，４５Ｋ上を通過する記録媒体Ｐが加熱されるように各ヒータ４６Ｙ，４６Ｍ，４６Ｃ，４６Ｋを制御している。
【００２５】
そして、制御部８は、搬送装置３を制御して送りローラ３２１を回転駆動させ、記録媒体Ｐを搬送させながら、画像データを基にイエローユニット４０Ｙにおける最上流の記録ヘッド６１Ｙを制御して、ノズル配列方向に３ノズル毎に１ノズル吐出するようにイエローの光硬化性インクを吐出させる。この際、制御部８は、最上流の光照射部７１Ｙを制御して、当該光照射部７１Ｙを点灯させる。これにより、最上流の記録ヘッド６１Ｙによって記録媒体Ｐ上に着弾したイエローの光硬化性インクが硬化することになる。
【００２６】
次いで、制御部８は、画像データを基にイエローユニット４０Ｙにおける中流の記録ヘッド６２Ｙを制御して、記録ヘッド６１Ｙとは１画素分ずれた位置となるように、搬送方向Ｘでは同じ位置であり、かつノズル配列方向に３ノズル毎に１ノズル吐出することで、最上流の記録ヘッド６１Ｙからイエローの光硬化性インクが吐出されない箇所にイエローの光硬化性インクを吐出させる。この際、制御部８は、中流の光照射部７２Ｙを制御して、当該光照射部７２Ｙを点灯させる。これにより、中流の記録ヘッド６２Ｙによって記録媒体Ｐ上に着弾したイエローの光硬化性インクが硬化することになる。
【００２７】
その後、制御部８は、画像データを基にイエローユニット４０Ｙにおける最下流の記録ヘッド６３Ｙを制御して、記録ヘッド６１Ｙとは２画素分ずれた位置となるように、搬送方向Ｘでは同じ位置であり、かつノズル配列方向に３ノズル毎に１ノズル吐出することで、ことで、最上流及び中流の記録ヘッド６１Ｙ，６２Ｙからイエローの光硬化性インクが吐出されない箇所にイエローの光硬化性インクを吐出させる。この際、制御部８は、最下流の光照射部７３Ｙを制御して、当該光照射部７３Ｙを点灯させる。これにより、最下流の記録ヘッド６３Ｙによって記録媒体Ｐ上に着弾したイエローの光硬化性インクが硬化することになる。
【００２８】
図５は、上記工程を各ノズル毎の吐出タイミングと光照射タイミングとで表したタイミングチャートである。この図５に示すように、記録ヘッド６１Ｙのノズル６０１ａにより搬送方向Ｘにおける先頭列ドット（図４のＬ１に相当）が形成されてから（ｔ１）、記録ヘッド６１Ｙの直下流に配置される光照射部７１Ｙが光を照射する（ｔ２）。この照射後、記録ヘッド６２Ｙのノズル６０２ｂにより搬送方向Ｘにおける先頭列ドットＬ１が形成されてから（ｔ３）、記録ヘッド６２Ｙの直下流に配置される光照射部７２Ｙが光を照射する。同様に、この照射後には、記録ヘッド６３Ｙのノズル６０３ｃにより搬送方向Ｘにおける先頭列ドットＬ１が形成されてから（ｔ５）、記録ヘッド６３Ｙの直下流に配置される光照射部７３Ｙが光を照射する（ｔ６）。
そして、一方、各記録ヘッド６１Ｙ，６２Ｙ，６３Ｙのノズル６０１ｃ，６０２ｃ，６０３ｃにより搬送方向Ｘにおける後尾列ドットが形成されると（ｔ７、ｔ８、ｔ９）、光照射部７１Ｙ，７２Ｙ，７３Ｙの光照射が停止する（ｔ１０、ｔ１１、ｔ１２）。
【００２９】
イエローの光硬化性インクによる画像記録が完了すると、制御部８は、その他の画像記録ユニット４０（マゼンタユニット４０Ｍ、シアンユニット４０Ｃ、ブラックユニット４０Ｋ）の記録ヘッド６及び光照射部７に対しても、上述のイエローユニット４０Ｙに対する制御と同様の制御を行うことで、イエロー、マゼンタ、シアン、ブラックの光硬化性インクによるカラー画像が記録媒体Ｐ上に記録されることになる。
【００３０】
その後、制御部は、搬送装置３を制御し排出ローラ３３を回転駆動させて、画像記録後の記録媒体Ｐを排出トレイ５に排出される。
【００３１】
以上のように、本実施形態のインクジェット記録装置１によれば、同一種の光硬化性インクを吐出する複数の記録ヘッド郡６Ｙ，６Ｍ，６Ｃ，６Ｋそれぞれの記録ヘッドにより光硬化性インクが吐出された記録媒体Ｐに向けて、該光硬化性インクが記録媒体Ｐに着弾する都度、光が照射されるので、記録ヘッドから吐出されて記録媒体Ｐに着弾した光硬化性インクが硬化した状態で、他の記録ヘッドから同一種の光硬化性インクが吐出されて、該記録媒体Ｐに着弾するようになる。つまり、それらが混ざり合ってブリーディングとなることを防止でき、画質を高めることができる。
【００３２】
また、光照射部７Ｙ，７Ｍ，７Ｃ，７Ｋが記録ヘッド郡６Ｙ，６Ｍ，６Ｃ，６Ｋそれぞれの記録ヘッドにおける搬送方向直下流に配置されているので、各記録ヘッドから吐出された光硬化性インクを個別に硬化させることができる。
さらに、記録ヘッドが、多相駆動の記録ヘッドであって、複数種類の光硬化性インクのそれぞれに対して駆動相数の整数倍備わっているので、記録媒体Ｐが各記録ヘッドを一度通過するだけで、全画素分の記録を行うことができる。
【００３３】
なお、本発明は上記実施の形態に限らず適宜変更可能であるのは勿論である。以下の説明において本実施形態のインクジェット記録装置１と同一の部分においては同一の符号を付してその説明を省略する。
【００３４】
例えば、本実施形態では、光照射部７Ｙ，７Ｍ，７Ｃ，７Ｋが各記録ヘッド６Ｙ，６Ｍ，６Ｃ，６Ｋの直下流に配置された場合を例示して説明しているが、例えば、図６に示すように各組毎にまとまって配列された記録ヘッド６Ｙ，６Ｍ，６Ｃ，６Ｋの直下流にのみ光照射部７を配置してもよい。具体的に説明すると、図６のインクジェット記録装置１Ａには、イエロー、マゼンタ、シアン、ブラックの光硬化性インクを一組として、当該一組毎に光硬化性インクが記録媒体Ｐ上で３回吐出されて画像が記録されるように、複数種類の光硬化性インクのそれぞれに対して３個設けられるライン式の３組の記録ヘッド６Ｙ，６Ｍ，６Ｃ，６Ｋが配置されている。このように記録ヘッド６Ｙ，６Ｍ，６Ｃ，６Ｋを配置した場合にあっても、各組の光硬化性インクをまとめて各吐出毎に硬化させることができる。
このように、複数種類の光硬化性インクを一組として、それらが一組毎にｎ回吐出されることで記録媒体Ｐ上に画像が形成されるのであれば、同一種のインクをｎ層に重ね打ちして画像を記録することが可能となる。そして、複数の光照射部７が複数種類の光硬化性インクを各回毎に硬化させるように配置されているので、各層のインクを個別に硬化させることができ、それらが混ざり合うことを防止できる。つまり、同一種のインクを複数層に重ねて画像を形成した場合であっても各層のインク厚を均一に硬化させることができる。
【００３５】
また、本実施形態では、各色の記録ヘッドが３相駆動で３つずつ設けられる場合を例示して説明したが、記録ヘッドの駆動相数は３に限定されるものでなく、記録ヘッドの個数も駆動相数の整数倍であれば如何様であっても構わない。さらに、吐出回数においても３回に限られるものではなく、複数回であれば如何様であっても構わない。
【００３６】
そして、本実施形態では、枚葉の記録媒体Ｐに対して画像を記録する場合を例示して説明したが、ロール状に巻かれた記録媒体Ｐに対して画像を記録するようにしてもよい。具体的に説明すると、図７のインクジェット記録装置１Ｂには、搬送装置３の上流側でロール状の記録媒体Ｐ１を保持して、搬送装置３によって記録媒体Ｐ１を巻き取らせる保持部１０と、搬送装置３の下流側で記録媒体Ｐ１を巻き取る巻取部１１とが設けられている。画像が記録された記録媒体Ｐ１は巻取部１１によって巻き取られるようになっている。
【図面の簡単な説明】
【００３７】
【図１】本実施形態のインクジェット記録装置の概略構成を表す側面図である。
【図２】図１のインクジェット記録装置に備わる画像記録ユニットの概略構成を表す下面視図である。
【図３】図１のインクジェット記録装置の主制御構成を表すブロック図である。
【図４】図２の画像記録ユニットに備わる記録ヘッドの各ノズルと、各ノズルから吐出されたインクの着弾位置との対応を示した模式図である。
【図５】吐出制御時における各ノズル毎の吐出タイミングと光照射タイミングとで表したタイミングチャートである。
【図６】図１のインクジェット記録装置の変形例を表す側面図である。
【図７】図１のインクジェット記録装置の変形例を表す側面図である。
【符号の説明】
【００３８】
１，１Ａ，１Ｂ インクジェット記録装置
２      給紙トレイ
３      搬送装置
４      画像記録部
５      排出トレイ
６Ｙ，６Ｍ，６Ｃ，６Ｋ      記録ヘッド郡
６１Ｙ，６２Ｙ，６３Ｙ，６１Ｍ，６２Ｍ，６３Ｍ，６１Ｃ，６２Ｃ，６３Ｃ，６１Ｋ，６２Ｋ，６３Ｋ        記録ヘッド
７Ｙ，７Ｍ，７Ｃ，７Ｋ      光照射部
８      制御部
９      記憶部
１０      保持部
１１      巻取部
３１      搬出ローラ
３３      排出ローラ
４０      画像記録ユニット
４０Ｙ      イエローユニット
４０Ｍ      マゼンタユニット
４０Ｃ    シアンユニット
４０Ｋ    ブラックユニット
４５Ｙ，４５Ｍ，４５Ｃ，４５Ｋ      プラテン
４６Ｙ，４６Ｍ，４６Ｃ，４６Ｋ      ヒータ
３２１，３２２，３２３      送りローラ
６０１Ｙ，６０２Ｙ，６０３Ｙ      ノズル
Ｐ，Ｐ１      記録媒体
【図１】
2007098784.tif 000003
【図２】
2007098784.tif 000004
【図３】
2007098784.tif 000005
【図４】
2007098784.tif 000006
【図５】
2007098784.tif 000007
【図６】
2007098784.tif 000008
【図７】
2007098784.tif 000009